【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技者の動作を検出可能な検出手段と、
検出手段に対応した特定表示を行う特定表示実行手段と、
を備え、
検出手段は、少なくとも第１操作部に対する第１動作と、第２操作部に対する第２動作とを含む、複数の動作を検出可能であり、
前記特定表示実行手段は、
可変表示の実行中に、前記特定表示として、前記第１動作に対応した第１特定表示を表示した後、前記第１特定表示よりも遊技者にとって有利度が高く且つ前記第２動作に対応した第２特定表示を表示可能であり、
検出手段による検出の非有効期間において前記特定表示を表示するときに、非有効期間であることを示す態様により前記特定表示を表示し、
検出手段による検出の非有効期間において、前記第１特定表示を表示した後、前記特定表示の変化に関する有利度が異なる複数種類の演出のうちのいずれかが実行されたときに当該第１特定表示を前記第２特定表示に変化させ、
検出手段による検出の有効期間において、変化後の前記第２特定表示を用いた動作演出が実行されることを特徴とする遊技機。
【手続補正２】
【補正対象書類名】明細書
【補正対象項目名】０００１
【補正方法】変更
【補正の内容】
【０００１】
本発明は、遊技を行うことが可能な遊技機に関する。
【手続補正３】
【補正対象書類名】明細書
【補正対象項目名】０００２
【補正方法】変更
【補正の内容】
【０００２】
従来より、特許文献１に示されているような、操作手段（ボタン等）の有効期間中に操作手段に対応した操作促進画像を表示する遊技機が知られている。この遊技機では、操作を行わないでいると操作促進画像が徐々に大きくなったり、ボタン形状の操作促進画像からパトランプ形状の操作促進画像に変化したりすることがある。
【手続補正４】
【補正対象書類名】明細書
【補正対象項目名】０００３
【補正方法】変更
【補正の内容】
【０００３】
【特許文献１】特開２０１６−８３４７３号公報
【手続補正５】
【補正対象書類名】明細書
【補正対象項目名】０００４
【補正方法】変更
【補正の内容】
【０００４】
しかしながら、操作手段に対応した操作促進画像は経時的に変化するものであり早めに操作されたときには操作促進画像は変化しないので、演出効果に乏しいという問題があった。
【手続補正６】
【補正対象書類名】明細書
【補正対象項目名】０００５
【補正方法】変更
【補正の内容】
【０００５】
この発明は、上記実情に鑑みて成されたものであり、演出効果が向上する遊技機を提供することを目的とする。
【手続補正７】
【補正対象書類名】明細書
【補正対象項目名】０００６
【補正方法】変更
【補正の内容】
【０００６】
（Ａ）上記目的を達成するため、本願に係る遊技機は、遊技を行うことが可能な遊技機（パチンコ遊技機９０１、スロット機等）であって、遊技者の動作を検出可能な検出手段（例えば、プッシュボタン９０３１Ｂ、スティックコントローラ９０３１Ａ、タッチセンサ、赤外線センサ、カメラ等）と、検出手段に対応した特定表示（例えば、図７５、図８２〜図８８に示した小ボタン（白）Ｄ９０１、大ボタン（白）Ｄ９０２、大ボタン（赤）Ｄ９０３、スティックＤ９０４、小ボタン（白）Ｄ９０１Ｕ、大ボタン（白）Ｄ９０２Ｕ、大ボタン（赤）Ｄ９０３Ｕ、スティックＤ９０４Ｕ等）を行う特定表示実行手段（例えば、ボタン発展演出処理（Ｓ９０５２９）、可変表示中演出処理（Ｓ９０１７２）等）と、を備え、検出手段は、少なくとも第１操作部に対する第１動作と、第２操作部に対する第２動作とを含む、複数の動作を検出可能であり、前記特定表示実行手段は、可変表示の実行中に、前記特定表示として、前記第１動作に対応した第１特定表示（例えば、小ボタン（白）Ｄ９０１等）を表示した後、前記第１特定表示よりも遊技者にとって有利度（例えば、大当り期待度、１６Ｒ確変大当り（図５７参照）となる期待度、通常大当りと確変大当りがある場合において確変大当りとなる期待度）が高く且つ前記第２動作に対応した第２特定表示（例えば、第１特定表示を小ボタン（白）Ｄ９０１とする場合には第２特定表示は大ボタン（白）Ｄ９０２、大ボタン（赤）Ｄ９０３、スティックＤ９０４等、第１特定表示を大ボタン（白）Ｄ９０２とする場合には第２特定表示は大ボタン（赤）Ｄ９０３、スティックＤ９０４等、第１特定表示を大ボタン（赤）Ｄ９０３とする場合には第２特定表示はスティックＤ９０４等）を表示可能であり、検出手段による検出の非有効期間（例えば、図７９〜図８８に示したＴ４〜Ｔ１１等）において前記特定表示を表示するときに、非有効期間であることを示す態様により前記特定表示を表示し（例えば、図７９〜図８８に示すように、規制線Ｋ９０を重畳させた小ボタン（白）Ｄ９０１、規制線Ｋ９０を重畳させた大ボタン（白）Ｄ９０２、規制線Ｋ９０を重畳させた大ボタン（赤）Ｄ９０３、規制線Ｋ９０を重畳させたスティックＤ９０４を表示する）、検出手段による検出の非有効期間（例えば、図７９〜図８８に示したＴ４〜Ｔ１１等）において、前記第１特定表示を表示した後、前記特定表示の変化に関する有利度が異なる複数種類の演出のうちのいずれかが実行されたときに当該第１特定表示を前記第２特定表示に変化させ（例えば、図８２（Ｃ）に示すように小ボタン（白）Ｄ９０１を表示した後に当該小ボタン（白）Ｄ９０１を図８３（Ｇ）に示すように大ボタン（白）Ｄ９０２に変化させ、更に、大ボタン（白）Ｄ９０２を図８３（Ｉ）に示すように大ボタン（赤）Ｄ９０３に変化させ）、検出手段による検出の有効期間（例えば、図７９〜図８８に示したＴ１１〜Ｔ１３等）において、変化後の前記第２特定表示（例えば、図８３（Ｊ）や図８３（Ｋ）に示すように大ボタン（赤）Ｄ９０３や大ボタン（赤）Ｄ９０３Ｕ等）を用いた動作演出（例えば、図８３（Ｋ）に示すように操作を促して図８３（Ｌ）に示したように結果を報知する演出等）が実行されることを特徴とする。
上記構成によれば、演出効果が向上するとともに、非有効期間であることが分かりやすい。
（１）別態様による遊技機は、可変表示（例えば、特別図柄や飾り図柄の可変表示等）を行い、遊技者にとって有利な有利状態（例えば、大当り遊技状態等）に制御可能であり、前記有利状態が終了した後の遊技状態を通常状態（例えば、低確低ベース状態等）よりも有利な特別状態（例えば、確変状態やチャンスタイム等）に制御可能な遊技機（例えば、パチンコ遊技機１等）であって、遊技状態が前記特別状態であるときに、前記有利状態に制御された回数について特定し得る特定画像を表示可能な表示手段（例えば、演出制御用ＣＰＵ１２０が、大当り種別が「第１大当り」の大当り遊技状態に制御された回数について特定し得る画像「☆×回数」や、大当り種別が「第２大当り」の大当り遊技状態に制御された回数について特定し得る画像「★×回数」や、大当り種別が「第１大当り」であるか「第２大当り」であるかにかかわらず大当り遊技状態に制御された回数について特定し得る画像「王冠を模した画像×回数」を表示すること等）を備え、前記表示手段は、前記有利状態において得られた遊技価値に関する数値情報を、当該有利状態に対応する特定画像と共に表示可能であり（例えば、累積賞球数に関する数値情報「○○○○ｐｔ」を、大当り遊技状態に制御された回数と共に表示されること等）、さらに、遊技者の動作を検出可能な検出手段（例えば、プッシュボタン９０３１Ｂ、スティックコントローラ９０３１Ａ、タッチセンサ、赤外線センサ、カメラ等）と、前記検出手段に対応した特定表示（例えば、図７５、図８２〜図８８に示した小ボタン（白）Ｄ９０１、大ボタン（白）Ｄ９０２、大ボタン（赤）Ｄ９０３、スティックＤ９０４、小ボタン（白）Ｄ９０１Ｕ、大ボタン（白）Ｄ９０２Ｕ、大ボタン（赤）Ｄ９０３Ｕ、スティックＤ９０４Ｕ等）を行う特定表示実行手段（例えば、ボタン発展演出処理（Ｓ９０５２９）、可変表示中演出処理（Ｓ９０１７２）等）と、を備え、前記特定表示実行手段は、前記特定表示として、第１特定表示（例えば、小ボタン（白）Ｄ９０１等）と、前記第１特定表示よりも遊技者にとって有利度（例えば、大当り期待度、１６Ｒ確変大当り（図５７参照）となる期待度、通常大当りと確変大当りがある場合において確変大当りとなる期待度）が高い第２特定表示（例えば、第１特定表示を小ボタン（白）Ｄ９０１とする場合には第２特定表示は大ボタン（白）Ｄ９０２、大ボタン（赤）Ｄ９０３、スティックＤ９０４等、第１特定表示を大ボタン（白）Ｄ９０２とする場合には第２特定表示は大ボタン（赤）Ｄ９０３、スティックＤ９０４等、第１特定表示を大ボタン（赤）Ｄ９０３とする場合には第２特定表示はスティックＤ９０４等）を表示可能であり、前記検出手段による検出の非有効期間（例えば、図７９〜図８８に示したＴ４〜Ｔ１１等）において、前記第１特定表示を表示した後に当該第１特定表示を前記第２特定表示に変化させ（例えば、図８２（Ｃ）に示すように小ボタン（白）Ｄ９０１を表示した後に当該小ボタン（白）Ｄ９０１を図８３（Ｇ）に示すように大ボタン（白）Ｄ９０２に変化させ、更に、大ボタン（白）Ｄ９０２を図８３（Ｉ）に示すように大ボタン（赤）Ｄ９０３に変化させ）、前記検出手段による検出の有効期間（例えば、図７９〜図８８に示したＴ１１〜Ｔ１３等）において、変化後の前記第２特定表示（例えば、図８３（Ｊ）や図８３（Ｋ）に示すように大ボタン（赤）Ｄ９０３や大ボタン（赤）Ｄ９０３Ｕ等）を用いた動作演出（例えば、図８３（Ｋ）に示すように操作を促して図８３（Ｌ）に示したように結果を報知する演出等）が実行されることを特徴とする。